(57)【要約】【課題】  画像の投影として利用する場合と照明として利用する場合それぞれに応じた応答特性で、ユーザからの指示に応える。【解決手段】  光源からの光を利用して画像を投影面に投影する投影装置であって、光源からの光を用いて画像を投影する投影モードと、光源からの光を所定の拡散部を利用して拡散して、照明として機能する照明モードとのいずれかを選択する選択部と、出射する光の状態をユーザからの指示に従って調整する調整部と、該選択部で選択したモードに応じて、調整部によるユーザからの指示に対する応答特性を変更する変更部とを有する。【選択図】  図２
2019129443.tif 000002
【特許請求の範囲】
【請求項１】
光源からの光を利用して画像を投影面に投影する投影装置であって、
前記光源からの光を用いて画像を投影する投影モードと、前記光源からの光を所定の拡散手段を利用して拡散して、照明として機能する照明モードとのいずれかを選択する選択手段と、
出射する光の状態をユーザからの指示に従って調整する調整手段と、
該選択手段で選択したモードに応じて、前記調整手段によるユーザからの指示に対する応答特性を変更する変更手段と
を有することを特徴とする投影装置。
【請求項２】
前記調整手段による調整対象は、明るさ、拡散の度合いを含むことを特徴とする請求項１に記載の投影装置。
【請求項３】
前記変更手段は、前記照明モードにおける明るさ変更に係る応答速度を、前記投影モードよりも早くなるように変更することを特徴とする請求項２に記載の投影装置。
【請求項４】
前記変更手段は、１回の指示入力に応じた明るさが変化する幅を、前記投影モードよりも大きくなるように変更することを特徴とする請求項２に記載の投影装置。
【請求項５】
前記変更手段は、前記照明モードにおける明るさを変更できる範囲を、前記投影モードよりも広くなるようにすることを特徴とする請求項２に記載の投影装置。
【請求項６】
前記光源からの光を投影対象の画像に基づいて変調する変調手段と、
該変調手段による変調後の光を通過させる、又は、拡散させる、のいずれかに切り換えが可能な部材を制御する制御手段とを有し、
当該制御手段は、前記選択手段により前記投影モードが選択された場合には前記部材を光が通過するように制御し、前記照明モードの場合には前記部材を拡散するように制御する
ことを特徴とする請求項２乃至５のいずれか１項に記載の投影装置。
【請求項７】
前記光源からの光を投影対象の画像に基づいて変調する変調手段と、
光を反射する第１の領域と、光を拡散する第２の領域とを有するミラーと、
前記ミラーの位置を制御する制御手段とを有し、
前記制御手段は、
前記選択手段により前記投影モードが選択された場合には前記変調手段からの光を前記第１の領域に入射するように前記ミラーの位置を制御し、
前記照明モードが選択された場合には前記変調手段からの光を前記第２の領域に入射するように前記ミラーの位置を制御する
ことを特徴とする請求項２乃至５のいずれか１項に記載の投影装置。
【請求項８】
前記光源からの光を投影対象の画像に基づいて変調する変調手段と、
前記光源と前記変調手段との間に設けられ、位置が変更可能なミラーと、
前記ミラーの位置を制御する制御手段とを有し、
前記制御手段は、
前記選択手段により前記投影モードが選択された場合、前記ミラーを、前記光源と前記変調手段とを結ぶ光路から外れる位置に移動させ、
前記選択手段により前記照明モードが選択された場合、前記ミラーを、前記光源と前記変調手段とを結ぶ光路上に位置させることで、反射光が前記拡散手段に向わせるように制御する
ことを特徴とする請求項２乃至５のいずれか１項に記載の投影装置。
【請求項９】
光源からの光を利用して画像を投影面に投影する投影装置であって、
前記光源からの光を用いて画像を投影する投影モードと、前記光源からの光を所定の拡散手段を利用して拡散して、照明として機能する照明モードとのいずれかを選択する選択工程と、
出射する光の状態をユーザからの指示に従って調整する調整工程と、
該選択工程で選択したモードに応じて、前記調整工程によるユーザからの指示に対する応答特性を変更する変更工程と
を有することを特徴とする投影装置の制御方法。
【発明の詳細な説明】
【技術分野】
【０００１】
本発明は画像の投影表示技術に関するものである。
【背景技術】
【０００２】
投影装置は、一般に、画像信号に基づき光源の光を変調し、スクリーン等の被投射面上に投射する装置である。人間はスクリーンからの反射光を知覚し、画像を認識することになる。更に、投影装置を照明として用いる技術がある。例えば、特許文献１では、光源が放つ光を画像信号に規定された変調光に変換する光変調部と、光変調部から射出される光の拡散度合いを調整する高分子分散型液晶（ＰＤＬＣ：Polymer Dispersed Liquid Crystal）とを有するプロジェクタの技術が開示されている。この技術によれば、ＰＤＬＣにより、射出する光の拡散度合いを高くさせることにより、例えば、光を部屋内に広範囲に照射させるように制御することができる。また、射出する光の拡散度合いを低くさせることにより、例えば、画像の投影表示を行なうことや、局所的な領域を照明するスポットライト照明を行なうことができる。
【先行技術文献】
【特許文献】
【０００３】
【特許文献１】特開２０１４−２１４２８号公報
【発明の概要】
【発明が解決しようとする課題】
【０００４】
投影光の大きさや位置を変更するズーム調整、レンズシフト調整、また投影光の明るさを変える輝度調整などは、投影表示を行う際においても、スポットライト照明を行う際にも用いる機能である。
【０００５】
しかし、この機能を用いる目的が、投影表示時とスポットライト照明時では異なる。例えば、ズーム調整やレンズシフト調整機能は、投影表示時には、投影領域をスクリーンに合わせる目的で用いられ、スポットライト照明時には、部屋の照明エリアを変更する目的で用いられる。また、明るさ調整機能は、投影表示時には、表示映像の低階調部分の視認性向上の目的で用いられ、スポットライト照明時には、室内の明るさ調整のために用いられる。このように、投影光を変更する各種調整機能は、投影表示時とスポットライト照明時では目的が異なるため、スポットライト照明時には、投影表示時と同じ調整速度、調整ステップで調整を行うと、使用者１０１は冗長に感じるという問題が生じる。
【０００６】
また、スポットライト照明時には、光が拡散されているので、投影表示時と同じ調整速度、調整ステップで調整を行うと、投影光を変更する各種調整機能で調整した際の変化が、ユーザには分かりにくいという問題ある。
【０００７】
本発明は、画像の投影として利用する場合と照明として利用する場合それぞれに応じた応答特性で、ユーザからの指示に応える技術を提供しようとするものである。
【課題を解決するための手段】
【０００８】
この課題を解決するため、例えば本発明の投影装置は以下の構成を備える。すなわち、
光源からの光を利用して画像を投影面に投影する投影装置であって、
前記光源からの光を用いて画像を投影する投影モードと、前記光源からの光を所定の拡散手段を利用して拡散して、照明として機能する照明モードとのいずれかを選択する選択手段と、
出射する光の状態をユーザからの指示に従って調整する調整手段と、
該選択手段で選択したモードに応じて、前記調整手段によるユーザからの指示に対する応答特性を変更する変更手段とを有する。
【発明の効果】
【０００９】
本発明によれば、画像の投影として利用する場合と照明として利用する場合それぞれに応じた応答特性で、ユーザからの指示に応えることが可能になる。
【図面の簡単な説明】
【００１０】
【図１】実施形態が適用するプロジェクタの仕様形態を説明するための図。
【図２】実施形態におけるプロジェクタのブロック構成図。
【図３】実施形態におけるプロジェクタの光学系のブロック構成図。
【図４Ａ】実施形態におけるプロジェクタの処理手順を示すフローチャート。
【図４Ｂ】実施形態におけるプロジェクタの処理手順を示すフローチャート。
【図５】実施形態におけるプロジェクタで表示されるメニュー画像の例を示す図。
【図６】実施形態におけるプロジェクタのパラメータ調整を説明するための図。
【図７】第２の実施形態におけるプロジェクタの処理手順を示すフローチャート。
【図８】第３の実施形態におけるプロジェクタの処理手順を示すフローチャート。
【図９】第３の実施形態における拡散部の構造と動作を説明するための図。
【図１０】第４の実施形態におけるプロジェクタの処理手順を示すフローチャート。
【発明を実施するための形態】
【００１１】
以下、添付図面に従って本発明に係る実施形態を詳細に説明するが、この発明は以下の実施の形態に限定されるものではない。
【００１２】
［第１の実施形態］
＜全体構成＞
まず、図１を用いて、本実施形態の全体構成を説明する。図１は、或る部屋内において、画像投影機能と照明機能との両方の機能を備えたプロジェクタを用いる様子を示す図である。
【００１３】
部屋内には使用者（ユーザ）１０１が存在する。プロジェクタ１００は、不図示の信号源から入力された画像信号を光学的に投射し、部屋の壁面（もしくはスクリーン）１０２に投射画像として表示させることができる。使用者１０１は、壁面１０２に投影されや画像を鑑賞することができる。プロジェクタ１００は、壁面１０２に画像を投影する他、部屋内を広範囲に照明する拡散光１０３を出力するように変更することがきる。拡散光１０３により部屋内が照明されるために、部屋内において、使用者１０１による様々な作業が可能となる照度が得られる。また、使用者１０１は、操作端末１０４を介してプロジェクタ１００の操作を行なうことができる。例えば、プロジェクタ１００に対して、壁面１０２への投影と、拡散光１０３の出力とを切り替えるよう操作が可能である。
【００１４】
なお、操作端末１０４とプロジェクタ１００との通信は赤外線通信とするが、その種類は特に問わないし、有線であっても構わない。
【００１５】
＜プロジェクタの詳細構成＞
次に、プロジェクタ１００の内部のブロック構成を、図２を用いて説明する。プロジェクタ１００は、制御部２００、バス２０１、映像入力部２０２、画像処理部２０３、パネル駆動部２０４、投影部２０５、ＲＯＭ２０６、ＲＡＭ２０７、通信部２０８、操作部２０９を有する。
【００１６】
制御部２００は、ＣＰＵ等のマイクロコンピュータから構成され、プロジェクタ１００全体を制御する。制御部２００の動作については後述する。バス２０１は、制御部２００をはじめとする各処理部の接続及び通信路として機能する。
【００１７】
映像入力部２０２は、不図示の映像信号源から画像信号を入力し、後段の回路が処理できる形式に画像データを変換し、画像処理部２０３に対し出力する。また、映像入力部２０２は制御部２００から指示された画像を入力し、同様の処理を行ない出力することもできる。なお、映像入力部２０２が入力する映像信号源（投影対象画像の発生源）は、例えばＰＣやテレビチューナ等であるが、その種類は問わない。
【００１８】
画像処理部２０３は、映像入力部２０２から受信した画像データに対し、制御部２００の指示に従い、画像処理を行なう。画像処理部２０３は、画像処理として、ゲインやオフセット、ガンマ補正といった階調変換処理、フレーム間引き処理、フレーム補間処理、解像度変換処理、画像合成処理、幾何学補正処理（キーストン補正処理、曲面補正）、パネル補正といった機能を実行することが可能である。画像処理部２０３は、処理後の画像データを駆動部２０４に出力する
パネル駆動部２０４は、入力された画像データを、投影部２０５内の液晶パネル３０３（後述）上に像を形成させるための駆動信号に変換し、その液晶パネル３０３に出力する。また、パネル駆動部２０４は、制御部２００からの指示に基づき、ＲＧＢの成分毎に入力データの階調値にゲインを掛けることができる。例えば、制御部２００からの指示に従い、パネル駆動部２０４は入力画像データの階調値にＲＧＢ共に０．５のゲインを掛けた場合、液晶パネル３０３上で形成される階調値が５０％になり、プロジェクタ１００から出力される光の量は５０％になる。
【００１９】
投影部２０５は、後述する光源３０１や、液晶パネル３０３等を含む。投影部２０５により、光源３０１からの光は、液晶パネル３０３で変調され、変調後の光がプロジェクタ１００の外部に出射され、画像として投影表示される。
【００２０】
ＲＯＭ２０６は、不揮発性のメモリであり、制御部２００が動作するためのプログラムコードや各種データが格納されている。また、ＲＯＭ２０６は、プロジェクタ１００が動作するために必要なデータを記憶する。ＲＡＭ２０７は、揮発性のメモリであり、制御部２００が動作するためのワークメモリとして使用される。
【００２１】
通信部２０８は、不図示のケーブルを介した有線通信モジュールや、無線通信モジュールから構成される。通信部２０８により、外部機器との間でデータを送受信する通信が可能である。外部の機器から入力画像を受信することや、プロジェクタ１００に対する指示を受信することが可能である。特に、後述する操作端末１０４から操作指示を受信することができる。
【００２２】
操作部２０９は、使用者１０１の指示を受け付け、制御部２００に指示信号を送信するものであり、例えば、ボタンやダイヤルなどからなる。
【００２３】
引き続き、実施形態における操作端末１０４を説明する。操作端末１０４は、プロジェクタ１００から分離されたデバイスであり、使用者１０１からの操作指示入力を端末側通信部１５０を介して、無線通信でプロジェクタ１００に送信する。
【００２４】
操作端末１０４には、使用者１０１からの操作指示を入力するための電源ボタン２１０、メニューボタン２１１、上ボタン２１２、下ボタン２１３、左ボタン２１４、右ボタン２１５、決定ボタン２１６を持つ。また、外部機器からの画像データを入力し表示することと、内部で生成した画像データを表示することを切り替える入力切替ボタン２１７を持たせてもよい。また、画像投影機能と、照明機能の切替のための照明／投影切替ボタン２１８を持たせてもよい。また、明るさ調整を行うための明るさ調整ボタン２１９、投影画像の拡大・縮小を行うためのズームボタン２２０、レンズシフトを行うためのレンズシフトボタン２２１を持たせてもよい。明るさ調整ボタン２１９、ズームボタン２２０、レンズシフトボタン２２１は、明るさのアップ・ダウン、ズームの拡大・縮小、レンズシフトの左右上下操作を行うために、上下左右ボタン２１１，２１２，２１３，２１４と組み合わせて使用することができる、としてもよい。２２２は、高拡散ボタンである。高拡散ボタン２２２は、使用者１０１から、プロジェクタ１００が射出する光の拡散度合いを増加させる指示を受けるための操作部材である。２２３は、低拡散ボタンである。低拡散ボタン２２３は、使用者１０１から、プロジェクタ１００が射出する光の拡散度合いを低減させる指示を受けるための操作部材である。
【００２５】
続いて、図３（ａ）を用いて、投影部２０５の詳細構成を説明する。
【００２６】
投影部２０５は、光源制御部３００、光源３０１、照明光学系３０２、液晶パネル３０３、光学系制御部３０４、投影光学系３０５、拡散部制御部３０６、拡散部３０７を有する。
【００２７】
光源制御部３００は、バス２０１経由で受信する制御部２００からの指示に従い、光源３０１のオン／オフの制御や光量の制御を行う。光源３０１は、画像の投影、若しくは、照明のための光を発するものであり、高圧水銀ランプやハロゲンランプ、ＬＥＤ（発光ダイオード）、レーザ光源を用いることができる。光源３０１は、白色の光源を用いてもよいし、Ｒ（Ｒｅｄ）、Ｇ（Ｇｒｅｅｎ）、Ｂ（Ｂｌｕｅ）の色成分毎の複数の光源からなるように構成してもよい。或いは、Ｂの光源と、Ｂ光をＹ光に変換する蛍光体とから構成するようにしてもよい。
【００２８】
照明光学系３０２は、複数のレンズからなり、光源３０１からの光を均一化、平行光化して、後述する液晶パネル３０３を照明する。光源３０１が白色の光源であった場合には、照明光学系３０２に色分解光学系を含むようにしてもよい。それにより、光源３０１からの白光を、例えばＲ光、Ｇ光、Ｂ光に分解し、後述する液晶パネルに照射することができる。
【００２９】
液晶パネル３０３上には、画素構造がマトリクス状に配置される。パネル駆動部２０４で生成された駆動信号に基づき、画素毎に入射光に対する変調率が変更されることで、液晶パネル３０３上に像が形成される。液晶パネル３０３としては、透過型液晶パネルや、反射型液晶パネルを用いることができる。液晶パネルは複数具備されるように構成してもよい。例えば、Ｒ光に対応した液晶パネル３０３Ｒ、Ｇ光に対応した液晶パネル３０３Ｇ、Ｂ光に対応した液晶パネル３０３Ｂの３板が具備されるように構成してもよい。その場合には、３板の液晶パネル３０３で変調された光を合成する色合成光学系（不図示）を有するように構成することで、ＲＧＢのフルカラーの画像を形成することが可能である。
【００３０】
光学系制御部３０４は、バス２０１経由で受信する制御部２００からの指示に従い、投影光学系３０５の投影画像の拡大、縮小、焦点調整、レンズシフトなどの制御するためのものである。
【００３１】
投影光学系３０５は、液晶パネル３０３で変調された光を外部に投影するためのものである。投影光学系３０５は、複数のレンズ、レンズ駆動用のアクチュエータからなり、レンズをアクチュエータにより駆動することで、投影画像の拡大、縮小、焦点調整、レンズシフトなどを行うことができる。
【００３２】
拡散部制御部３０６は、バス２０１経由で受信する制御部２００からの指示に従い、拡散部３０７の拡散度合いを制御するものである。
【００３３】
拡散部３０７は、投影光学系３０５から出力された光を拡散、或いは、透過させるためのものであり、印加する電圧に応じて拡散、透過の割合を制御可能な高分子分散型液晶（ＰＤＬＣ）を用いることができる。
【００３４】
なお、拡散部３０７を投影光学系３０５の後段に配置しているが、本発明はその配置に限定されない。光源からの光を拡散或いは透過させ、その後の光をプロジェクタ１００から射出できる位置に配置できれば、拡散部３０７をどの位置に配置してもかまわない。例えば、拡散部３０７を投影光学系３０５の前段に配置してもよい。
【００３５】
＜プロジェクタの基本的な動作フロー＞
次に、図４Ａのフローチャートに従って、プロジェクタ１００の基本的な動作フローについて説明する。
【００３６】
プロジェクタ１００に不図示の電源ケーブルを介したＡＣ電源からの電力が供給されると、制御部２００、ＲＯＭ２０６、ＲＡＭ２０７、通信部２０８に電源が供給され、制御部２００は起動し待機状態となる。ここで、使用者１０１の操作端末１０４から起動指示を受信したことを制御部２００が検知すると、図４Ａのフローに示される処理が開始される。
【００３７】
なお、使用者１０１からの起動指示の例としては、プロジェクタ１００の不図示の電源スイッチの押下、通信部２０８経由で検知した操作端末１０４の電源ボタン２１０の押下や、操作部２０９のボタン押下やダイヤル操作、通信部２０８経由で受信した他の制御装置からの制御コマンドを用いることができる。或いは、不図示のカメラによる使用者１０１の所定のジェスチャの検出や、不図示のマイクロフォンによる使用者１０１の所定の音声の検出を用いてもよい。
【００３８】
Ｓ１００にて、制御部２００は、プロジェクタ１００の各部の起動処理を行なう。具体的には、制御部２００は、各部への電力供給の制御を行ない、映像入力部２０２、画像処理部２０３、パネル駆動部２０４、光源制御部３００、光学系制御部３０４、拡散部制御部３０６が動作可能にように設定を行なう。次いで、制御部２００は、光源３０１を発光させ、不図示の冷却ファンを作動させる。これにより、プロジェクタ１００は、映像入力部２０２に入力された画像の投影表示を開始するようになる。映像入力部２０２、画像処理部２０３、パネル駆動部２０４、光源制御部３００、光学系制御部３０４、拡散部制御部３０６の初期の動作パラメータは制御部２００がＲＡＭ２０７に書き込んでおく。動作パラメータとは、明るさやズーム値、レンズシフトの値などを含む。
【００３９】
次いで、Ｓ１０１にて、制御部２００は、拡散部３０７が透過状態となる投影モードの設定を行なう。以降、拡散部３０７が所定の透過状態であり、画像が投影表示されている状態を投影モードと呼ぶ。また、拡散部３０７が投影モード時に比べ拡散する割合を高くした状態で、投影部２０５から拡散した光が出力されている状態を照明モードと呼ぶ。なお、本設定は特徴的なフローとして詳細に後述する。
【００４０】
次いで、Ｓ１０２にて、制御部２００は、通信部２０８に問い合わせを行ない、使用者１０１からの操作指示を取得する。
【００４１】
次いで、Ｓ１０３にて、制御部２００は、操作指示の取得結果の判別を行なう。操作指示を受信しなかった場合、制御部２００は処理をＳ１０２に戻す。
【００４２】
取得した操作指示が電源オフ操作に関するものであった場合、制御部２００は処理をＳ１０４に進める。電源オフ操作の一例としては、操作端末１０４の電源ボタン２１０の押下が挙げられる。取得した操作指示が入力切替操作に関するものであった場合、制御部２００は処理をＳ１０５に進める。入力切替操作の一例としては、操作端末１０４の入力切替ボタン２１７の押下が挙げられる。取得した操作指示が明るさ変更操作に関するものであった場合、制御部２００は処理をＳ１０６に進める。明るさ変更操作の一例としては、操作端末１０４の明るさ調整ボタン２１９を押下してからの上ボタン２１２、または下ボタン２１３の押下が挙げられる。取得した操作指示がメニュー操作に関するものであった場合、制御部２００は処理をＳ１０７に進める。メニュー操作の例としては、操作端末１０４のメニューボタン２１１、決定ボタン２１６、上ボタン２１２、下ボタン２１３、左ボタン２１４、右ボタン２１５の各ボタンの押下が挙げられる。取得した操作指示がモード切替操作に関するものであった場合、制御部２００は処理をＳ１１１に進める。モード切替操作の一例としては、操作端末１０４の照明投影切替ボタン２１８の押下が挙げられる。取得した操作指示が拡散度合い変更操作に関するものであった場合、制御部２００は処理をＳ１１４に進める。拡散度合い変更操作の一例としては、操作端末１０４の高拡散ボタン２２２、低拡散ボタン２２３の押下挙げられる。なお、これら操作指示の例として操作端末１０４のボタンを操作する例のみを挙げたが、それら以外でもよい。例えば、不図示のプロジェクタ１００本体上のスイッチの押下や、通信部２０８経由で受信した他の制御装置からの制御コマンド等を用いてもよい。或いは、不図示のカメラによる使用者１０１の所定のジェスチャの検出や、不図示のマイクロフォンによる使用者１０１の所定の音声の検出を用いてもよい。
【００４３】
Ｓ１０３で電源オフ操作指示があったと判定された場合、Ｓ１０４にて、制御部２００は、プロジェクタ１００の各部の終了処理を行なう。具体的には、制御部２００は、光源制御部３００に指示を出し、光源３０１の発光を停止させ、プロジェクタ１００各部の電源をシャットダウンさせて、制御部２００、ＲＯＭ２０６、ＲＡＭ２０７、通信部２０８のみ電源が供給される状態とする。これにより、制御部２００は待機状態に戻り、本フローは終了となる。
【００４４】
一方、Ｓ１０３で入力切替操作指示があったと判定された場合、Ｓ１０５にて、制御部２００は、映像入力部２０２に対して映像入力部２０２の入力元を変更する。具体的には、制御部２００は、映像入力部２０２に不図示の外部機器からの画像データを入力させる第一の設定と、制御部２００が指定した画像を映像入力部２０２に入力させる第二の設定とを、Ｓ１０５に遷移する毎に交互に適用する。これにより、入力切替操作により、外部から入力した画像を表示するか、予めプロジェクタ１００内に内蔵した画像を表示するか、使用者１０１は切り替えることができる。第二の設定の際に制御部２００が指定する画像としては、例えば、白の矩形画像や、白の円形画像を用いてもよい。それにより、スポットライトのような効果のある光を照射することができる。なお、これらの画像はＲＯＭ２０６に記憶しておけばよい。また、第一の設定と第二の設定を交互に適用するのは一例に過ぎず、その他の方法で設定を切り替えてもよい。例えば、第一の設定、矩形画像を指定する第二の設定、円形画像を指定する第二の設定、との３つを順番に適用してもよい。この後、Ｓ１０２に戻る。
【００４５】
一方、Ｓ１０３で明るさ変更指示があったと判定された場合は、Ｓ１０６にて、制御部２００は、投影部２０５に対して、光源の出力する光の強さを指定することで、投射する光の明るさを変えるための設定を行なってもよい。この後、Ｓ１０２に戻る。なお、この設定に関しては、詳しくは特徴的なフローとして後述する。なお、Ｓ１０６では、制御部２００は投射部２０５の代わりにパネル駆動部２０４に対して、明るさを変更する処理を行ってもよい。
【００４６】
一方、Ｓ１０３でメニュー操作指示があったと判定された場合は、Ｓ１０７にて、制御部２００は、現在のモードが投影モードであるか判定する。投影モードであればＳ１０８に進み、そうでなければＳ１０２に戻る。
【００４７】
次いで、Ｓ１０８にて、制御部２００は、画像処理部２０３に対する入力画像に重畳するメニュー画像の更新を行なう。この更新処理は、現在のメニュー画像重畳状態と、詳細な操作指示との組み合わせにより、次のような処理をとることができる。
【００４８】
メニュー画像が重畳表示されていない状態で、操作端末１０４のメニューボタン２１１の押下があった場合、制御部２００は、画像処理部２０３に対して、入力画像上へのメニュー画像の重畳指示を行なう。メニュー画像の例を図５に示す。５００は、メニュー画像である。メニュー画像５００は、４つの設定項目が存在する。設定項目５０１は、明るさ補正の指示を受けるための項目である。設定項目５０２は、ズーム調整の指示を受けるための項目である。設定項目５０３は、水平方向のレンズシフト調整の指示を受けるための項目である。設定項目５０４は、垂直方向のレンズシフト調整の指示を受けるための項目である。各設定項目には、そのときの設定値が表示される。これら設定項目には、その時点で操作対象となる設定項目にカーソル５０５が存在している。メニュー画像５００の最初の表示時には、カーソル５０５を先頭の設定項目に配置してもよい。
【００４９】
メニュー画像が重畳表示されている状態で、操作端末１０４のメニューボタン２１１か決定ボタン２１６の押下があった場合、制御部２００は、画像処理部２０３に対して、入力画像上からのメニュー画像の消去指示を行なう。
【００５０】
メニュー画像が重畳表示されている状態で、操作端末１０４の上ボタン２１２か下ボタン２１３の押下があった場合、制御部２００は、それをカーソル移動指示と判定する。即ち、制御部２００は、カーソル５０５を上の設定項目か下の設定項目に移動したメニュー画像を生成し、画像処理部２０３に重畳指示を行なう。
【００５１】
メニュー画像が重畳表示されている状態で、操作端末１０４の左ボタン２１４か右ボタン２１５の押下があった場合、制御部２００は、それを各項目の設定値の増減指示と判定する。即ち、制御部２００は、各設定項目の設定値を増減させたメニュー画像を生成し、画像処理部２０３に重畳指示を行なう。
【００５２】
次いで、Ｓ１０９にて、制御部２００は、使用者１０１より画処理設定の要求があったか判定する。即ち、Ｓ１０８にてメニュー画像５００に対して、各設定値の増減指示があったか判定する。画処理設定の要求があった場合、制御部２００は処理をＳ１１０に進める。また、なかった場合、制御部２００は処理をＳ１０２に戻す。
【００５３】
Ｓ１１０にて、制御部２００は、変更要求のあった設定項目に対応した画処理、及び、その設定値を画像処理部２０３に指示する。この設定が完了すると、制御部２００は処理をＳ１０２に戻す。
【００５４】
一方、Ｓ１０３でモード切替操作指示があったと判定された場合、Ｓ１１１にて、制御部２００は、現在のモードを確認する。現在のモードが照明モードの場合、制御部２００は処理をＳ１１２に進める。また、現在のモードが投影モードの場合、制御部２００は処理をＳ１１３に進める。
【００５５】
Ｓ１１２にて、制御部２００は、拡散部３０７が透過状態となる投影モードの設定を行なう。詳細は、特徴的なフローとして後述する。この後、制御部２００は処理をＳ１０２に戻す。
【００５６】
Ｓ１１３にて、制御部２００は、拡散部３０７が拡散状態となる照明モードの設定を行なう。詳細は、特徴的なフローとして後述する。この後、制御部２００は処理をＳ１０２に戻す。
【００５７】
一方、Ｓ１０３で拡散度合い変更操作指示があったと判定された場合、制御部２００は処理をＳ１１４に進める。拡散度合い操作指示の例としては、操作端末１０４の高拡散ボタン２２２、低拡散ボタン２２３の各ボタンの押下が挙げられる。拡散度合い操作指示は、それら以外でもよい。例えば、操作部２０９のスイッチの押下や、通信部２０８経由で受信した他の制御装置からの制御コマンド等を用いてもよい。或いは、不図示のカメラによる使用者１０１の所定のジェスチャの検出や、不図示のマイクロフォンによる使用者１０１の所定の音声の検出を用いてもよい。
【００５８】
一方、Ｓ１０３で拡散度合い変更操作指示があったと判定された場合、Ｓ１１４にて、制御部２００は、操作内容に基づく、拡散度合いの設定値を算出する。詳しく説明する。制御部２００は、ＲＡＭ２０７上に拡散度合いを示す変数ｄを用意する。例えば、ｄは０〜７の８段階を取るものとし、０が最も拡散された状態、７が最も拡散されない状態を示すとする。また、ｄの起動時の初期値は０とする。Ｓ１１４では、高拡散ボタン２２２の押下等の拡散度合いを増加させる指示がされていた場合には、制御部２００はｄを減少させる。一方、低拡散ボタン２２３の押下等の拡散度合いを低減させる指示がされていた場合には、制御部２００はｄを増加させる。
【００５９】
このような基本的なフローにより、プロジェクタ１００の基本的な動作が実現される。即ち、例えば、使用者１０１は、操作端末１０４の電源ボタン２１０の押下により、プロジェクタ１００の起動と終了を切り替えることができる。また、例えば、使用者１０１は、操作端末１０４の入力切替ボタン２１７の押下により、外部からの入力画像を表示させて鑑賞することと、内部で記憶されている白の矩形や円形の画像を投射させてスポットライトのように使用することを切り替えることができる。また、例えば、使用者１０１は、操作端末１０４の明るさ調整ボタン２１９の押下をしてから、上ボタン２１２、下ボタン２１３を押下することで投影面の明るさを調整することができる。また、例えば、使用者１０１は、操作端末１０４のメニュー関連のボタン２１１を押下することにより、メニューを表示させ、所望な明るさを設定することができる。また、例えば、使用者１０１は、操作端末１０４の照明投影切替ボタン２１８の押下により、拡散光を投射する照明モードにして一般的な照明装置として使用することと、形状を明瞭に視認できる光を投射する投影モードにして投影装置として使用することを切り替えることができる。また、例えば使用者１０１は操作端末１０４の高拡散ボタン２２２、低拡散ボタン２２３の押下により光の拡散度合いを変更することで、所望の拡散度合いを設定することができる。
【００６０】
＜プロジェクタの特徴的な動作フロー＞
次に、図４Ｂ（ａ）、（ｂ）を用いて、プロジェクタ１００の特徴的な動作フローについて説明する。
【００６１】
まず、図４Ｂ（ａ）のフローを説明する。これは、図４ＡのＳ１０１、Ｓ１１２で実施される、投影モードの設定のサブフローを示している。
【００６２】
最初に、Ｓ２００にて、制御部２００は、拡散部制御部３０６に対し、拡散部３０７に光を透過させる制御をするように指示を出す。この処理はＰＤＬＣの特性に応じて、光が透過する電位差を加えることを指す。ＰＤＬＣに与えられた電位差が０と所定電位差の中間的なものである場合には、ＰＤＬＣはその電位に応じた量の光を拡散させるため、光は適度に拡散される。ＰＤＬＣに与える電位差の求め方は、投影モード時の透過度に対応する電位差を予めＲＯＭ２０６に設定しておいてもよい。
【００６３】
次いで、Ｓ２０１にて、制御部２００は、ＲＡＭ２０７に対し、投影モード時用の、投影光を変更するパラメータの変更速度、または変更ステップ幅を設定するように指示を出す。
【００６４】
ここで、本実施形態でのパラメータ変更速度、または変更ステップ幅について図６を用いて説明する。
【００６５】
プロジェクタ１００が投影モードの際の、明るさの変更速度の例を図６（ａ）、明るさの変更ステップ幅の例を図６（ｃ）に示す。プロジェクタ１００は、図６（ａ）に示すように、ボタン連続押下時間に応じて、明るさが変更される。ここでのボタンとは、明るさのアップに対応する、上ボタン２１２を指す。変更処理についてはＳ１０６の詳細説明で後述する。投影モード時には、ＩｍｉｎからＩｍａｘまで、Ｔｍａｘ_ＰＪまで連続押下することで明るさを連続的に変更することができる。Ｓ２０１で設定される変更速度は、（Ｉｍａｘ-Ｉｍｉｎ）/Ｔｍａｘ_ＰＪである。また、プロジェクタ１００は、図６（ｃ）に示すように、ボタン押下回数に応じて、明るさが変更される。ここでのボタンは、明るさのアップに対応する、上ボタン２１２を指す。変更処理についてはＳ１０６の詳細説明で後述する。投影モード時には、ＩｍｉｎからＩｍａｘまで、Ｎｍａｘ_ＰＪ回、ボタンを押下することで明るさを段階的に変更することができる。Ｓ２０１で設定される変更ステップ幅は、（Ｉｍａｘ-Ｉｍｉｎ）/Ｎｍａｘ_ＰＪである。
【００６６】
なお、明るさアップに対応する上ボタン２１２について述べたが、明るさダウンに対応する下ボタン２１３でも同様に、明るさをダウンする変更速度、変更ステップ幅を設定する。或いは、Ｓ２０１の代わりに予め出荷前に投影モード時の明るさ変更速度、変更ステップ幅をＲＯＭ２０６に保存しておいてもよい。
【００６７】
最後に、Ｓ２０２にて、現在のモードを示すＲＡＭ２０７上の領域に「投影モード」を意味する値を格納し、現在のモードを判別可能とする。この後、本サブフローは完了する。
【００６８】
次いで、図４Ｂ（ｂ）のフローを説明する。これは、図４ＡのＳ１１３で実施される、照明モードの設定のサブフローを示す。
【００６９】
最初に、Ｓ３００にて、制御部２００は、拡散部制御部３０６に対し、拡散部３０７に光を拡散させる制御をするように指示を出す。この処理はＰＤＬＣの特性に応じて、光が拡散する電位差を加えることを指す。ＰＤＬＣに与えられた電位差が０と所定電位差の中間的なものである場合には、ＰＤＬＣはその電位に応じた量の光を拡散させるため、光は適度に拡散される。ＰＤＬＣに与える電位差の求め方は、照明モード時の透過度に対応する電位差を予めＲＯＭ２０６に設定しておいてもよい。
【００７０】
次いで、Ｓ３０１にて、制御部２００は、ＲＡＭ２０７に対し、照明モード時用の、投影光を変更するパラメータの変更速度、または変更ステップ幅を設定するように指示を出す。
【００７１】
ここで、本実施形態でのパラメータ変更速度、または変更ステップ幅について図６を用いて説明する。
【００７２】
プロジェクタ１００が照明モードの際の、明るさの変更速度の例を図６（ｂ）、明るさの変更ステップ幅の例を図６（ｄ）に示す。プロジェクタ１００は、図６（ｂ）に示すように、ボタン連続押下時間に応じて、明るさが変更される。ここでのボタンは、明るさのアップに対応する、上ボタン２１２を指す。変更処理についてはＳ１０６の詳細説明で後述する。照明モード時には、ＩｍｉｎからＩｍａｘまで、Ｔｍａｘ_ＬＴまで連続押下することで連続的に明るさを変更することができる。Ｓ３０１で設定される変更速度は、（Ｉｍａｘ-Ｉｍｉｎ）/Ｔｍａｘ_ＬＴである。また、プロジェクタ１００は、図６（ｄ）に示すように、ボタン押下回数に応じて、明るさが変更される。ここでのボタンは、明るさのアップに対応する、上ボタン２１２を指す。変更処理についてはＳ１０６の詳細説明で後述する。照明モード時には、ＩｍｉｎからＩｍａｘまで、Ｎｍａｘ_ＬＴ回、ボタンを押下することで明るさを段階的に変更することができる。Ｓ３０１で設定される変更ステップ幅は、（Ｉｍａｘ-Ｉｍｉｎ）/Ｎｍａｘ_ＬＴである。
【００７３】
なお、明るさアップに対応する上ボタン２１２について述べたが、明るさダウンに対応する下ボタン２１３でも同様に、明るさをダウンする変更速度、変更ステップ幅を設定する。或いは、Ｓ３０１の代わりに予め出荷前に照明モード時の明るさ変更速度、変更ステップ幅をＲＯＭ２０６に保存しておいてもよい。
【００７４】
最後に、Ｓ３０２にて、現在のモードを示すＲＡＭ２０７上の領域に「照明モード」を意味する値を格納し、現在のモードを判別可能とする。この後、本サブフローは完了する。
【００７５】
上記において注意すべき点は以下の関係になっている点である。
Ｔｍａｘ＿ＰＪ＜Ｔｍａｘ_ＬＴ
Ｎｍａｘ＿ＰＪ＞Ｎｍａｘ_ＬＴ
つまり、使用者１０１による明るさを変更するボタンを押下状態では、投影モードよりも照明モードの方が単位時間当たりの明るさの変化が大きい。また、明るさを変更するためのボタンの１回あたりの押下で変化する明るさの変化は、照明モードの方が投影モードよりも大きい。これを別な言い方をすれば、投影モードでは、明るさの微調整に有利な操作が行えるとも言える。つまり、本実施形態では、投影モード時と照明モード時で、明るさ変更速度、明るさ変更ステップ幅が異なることができるのが特徴である。
【００７６】
また、投影モード時と照明モード時の光の拡散度合いはＳ１１４の処理の説明でも前述した通り可変であるため、拡散度合い（例えば、前述の変数ｄ）に応じて、投影モード時、照明モード時の明るさ変更速度、明るさ変更ステップを変更可能である。拡散度合いと明るさ変更速度、明るさ変更ステップ幅を対応付けるテーブルをあらかじめ出荷前にＲＯＭ２０６に記憶しておいて、照明モード、投影モード遷移時の拡散度合いに応じて、Ｓ２０１、Ｓ３０１で読み出して設定することも可能である。
また、前述したように、図４Ａを用いて、Ｓ１０６にて、制御部２００は、投射部２０５に対して、投射する光の明るさを変えるための設定を行なうという説明を行なった。この具体的な処理を図４Ｂ（ｃ）を用いて詳細を説明する。この処理は、図４ＡのＳ１０６で実施される、投影モードの設定のサブフローである。
【００７７】
まず、Ｓ４００にて、制御部２００はＲＡＭ２０７に記憶されている、明るさ変更速度、および変更ステップ幅を読み出す。次に、Ｓ４０１で、制御部２００はＲＡＭ２０７に記憶されている、現在の明るさ値を読み出す。
【００７８】
次に、Ｓ４０２で、制御部２００はＳ４００で読み出した変更速度および変更ステップ、Ｓ４０１で読み出した現在の明るさに基づき、明るさ計算を行う。具体的には、操作者１０１が操作端末１０４の明るさ調整ボタン２１９の押下をしてから、上ボタン２１２を押下する操作に応じて、現在の明るさ値＋変更幅×押下回数、もしくは現在の明るさ＋変更速度×時間として変更後の明るさを算出する。次に、Ｓ４０３で制御部２００はＳ４０２で計算した明るさに基づいて、投影部２０５に明るさ設定を行う。最後にＳ４０４で制御部２００はＲＡＭ２０７にＳ４０２で計算した明るさを書き込み、処理を終了する。
【００７９】
本実施形態ではＳ１０６の明るさ変更の調整時に、投影モード時と、照明モード時で異なる調整速度や調整ステップで調整する例を記載した。しかし、この例に限らず、ズーム調整機能やレンズシフト調整機能を用いた場合も、投影モード時と、照明モード時で異なる調整速度や調整ステップで調整することが出来る。
【００８０】
以上説明したように本実施形態によれば、拡散部３０７を有するプロジェクタでは、拡散部３０７が透過状態（投影モード）、拡散状態（照明モード）のいずれかによって、調整対象に対する使用者からの指示入力に応答特性で応えることになる。例えば、調整対象が明るさの場合、ユーザからの指示入力に対する応答速度、若しくは変更ステップ幅で応える処理を行う。この結果、プロジェクタ１００は、照明モードの際には、投影モード時よりも早いスピードで明るさ変更や、ズームやレンズシフトの変更を行うことが出来る。
【００８１】
［第２の実施形態］
次に、上記第１の実施形態を変形した構成を第２の実施形態として説明する。説明を単純化すため、装置構成は第１の実施形態と同じとし、その差分について説明する。
【００８２】
＜プロジェクタの特徴的な動作フロー＞
図７（ａ）、（ｂ）を参照して、第２の実施形態のプロジェクタ１００の特徴的な動作フローを説明する。図７（ａ），（ｂ）は、第１の実施形態における図４Ｂ（ａ），（ｂ）に対応するものであり、Ｓ２０１，Ｓ３０１がＳ７０１、Ｓ７０２に置き換わった点が異なり、これ以外は第１の実施形態と同様である。
【００８３】
第１の実施形態では、制御部２００は、ＲＡＭ２０７に対し、明るさ調整の変更速度・変更ステップ幅を設定する例を説明した。これに対し、本第２の実施形態における制御部２００は、Ｓ７０１、Ｓ７０２にて、選択されたモードに応じて、明るさの上限値・下限値を設定する。
【００８４】
図６（ｅ）、（ｆ）を用いて説明する。Ｓ７０１では、図６（ｅ）に示すように、投影モードでの明るさ調整は、上限値Ｉｍａｘ_ＰＪ、下限値Ｉｍｉｎ_ＰＪの間で調整可能なよう、上限値、下限値をＲＡＭ２０７に設定する。一方、Ｓ７０２では、図６（ｆ）に示すように、照明モードでの明るさ調整は、上限値Ｉｍａｘ_ＬＴ、下限値Ｉｍｉｎ_ＬＴの間で調整可能なよう、上限値、下限値をＲＡＭ２０７に設定する。
【００８５】
或いは、Ｓ７０１の代わりに、予め出荷前に投影モード時の明るさ変更の上限値、下限値をＲＯＭ２０６に保存しておいてもよい。同様に、Ｓ７０２の代わりに予め出荷前に照明モード時の明るさ変更の上限値、下限値をＲＯＭ２０６に保存しておいてもよい。ただし、限界値の関係は次の通りである。
Ｉｍｉｎ_ＬＴ≦Ｉｍｉｎ_ＰＪ＜Ｉｍａｘ_ＰＪ＜Ｉｍａｘ_ＬＴ
このように、投影モード時と照明モード時で、明るさ変更の上限値・下限値が異なることが本発明の特徴である。なお、図６（ｅ）、（ｆ）に示すように、ボタンの押下状態における下限から上限の明るさに至る時間はモードによらず同じとしているので、照明モードにおける単位時間当たりの明るさの変化は、投影モードのそれよりも大きいということもできる。
【００８６】
また、投影モード時と照明モードの光の拡散の程度は第１の実施形態のＳ１１４の処理の説明でも前述したとおり、可変であるため、拡散度合い（例えば、第１の実施形態で前述の変数ｄ）に応じて、投影モード時、照明モード時の明るさ変更の上限値・下限値を変更可能である。拡散度合いと明るさ変更の上限値・下限値を対応付けるテーブルをあらかじめ出荷前にＲＯＭ２０６に記憶しておいて、照明モード、投影モード遷移時の拡散度合いに応じて、Ｓ２０１、Ｓ３０１で読み出して設定することも可能である。
【００８７】
以上説明したように、本第２の実施形態によれば、Ｓ７０１とＳ７０２の処理により、投影モード時と照明モード時で、明るさ変更の上限値・下限値を変えることができる。例えば、プロジェクタ１００の投影モード時の明るさ変更の上限値・下限値は、表示画像のホワイトバランスを保てる範囲となっているが、照明モード時には、下限値を小さくすることや、上限値を大きくすることが出来る。
【００８８】
［第３の実施形態］
先に示した第１の実施形態の構成の変形例を第３の実施形態として説明する。装置の基本構成は第１の実施形態と同じとし、以下では第１の実施形態との差分について説明する。
【００８９】
＜プロジェクタの詳細構成＞
図３（ｂ）は本第３の実施形態における投影部２０５の構成を示している。第１の実施形態である図３（ａ）に対して、拡散部３０７を拡散部３０８に、拡散部制御部３０６を拡散部制御部３０９に、夫々変形したものである。他のブロックについては共通であるために説明を省略する。
【００９０】
拡散部３０８は、可動のミラーから構成される。拡散部３０８の詳細構成を図８（ａ）（ｂ）を用いて説明する。
【００９１】
拡散部３０８は、可動のミラー９００を有する。ミラー９００は、拡散部制御部３０９の制御により、図８（ａ），（ｂ）で示した２つの位置の間を移動可能となっている。ミラー９００は２つの領域を有する。１つ目の領域９０１は、投影モードで利用するものであり、入射光をそのまま反射する領域である。ミラー９００が図８（ａ）で示した位置に存在する場合は、入射光は領域９０１に照射される。２つ目の領域９０２は、照明モードで利用するものであり、ミラーの表面に拡散材料が塗布されることにより、入射光を拡散し、且つ反射する領域である。ミラー９００が図８（ｂ）で示した位置に存在する場合は、入射光は領域９０２に照射される。なお、領域９０２には、拡散材料に加え蛍光材料を塗布してもよい。領域９０２で反射し射出する光は部屋内を照明する用途で用いられることが想定される。そのため、領域９０２に蛍光材料を塗布することで、領域９０２から射出する光のスペクトラムを広げることができ、照明器具として求められる演色性を高めることができる。
【００９２】
拡散部制御部３０９は、アクチュエータからなり、拡散部３０８に含まれるミラー９００を図９（ａ）の位置と、図９（ｂ）の位置との間で移動させることができる。
【００９３】
＜プロジェクタの基本的な動作フロー＞
本第３の実施形態におけるプロジェクタ１００の基本的な動作は、第１の実施形態の拡散部３０７を対象とした処理を拡散部３０８を対象とした処理に代わり、拡散部制御部３０６を対象とした処理が拡散制御部３０９を対象とした処理に代わるだけであり、基本処理は図４Ａと同じである。ただし、投影モードは、拡散部３０８のミラー９００上の領域９０１に反射した光（非拡散光）が外部に射出されるモードとする。照明モードは拡散部３０８のミラー９００上の領域９０２に反射した拡散された光が外部に射出されるモードとなる。
【００９４】
＜プロジェクタの特徴的な動作フロー＞
図８（ａ）、（ｂ）を参照して、第３の実施形態のプロジェクタ１００の特徴的な動作フローを説明する。図８（ａ），（ｂ）は、第１の実施形態における図４Ｂ（ａ），（ｂ）に対応するものであり、Ｓ２０１，Ｓ３０１がＳ８０１、Ｓ８０２に置き換わった点が異なり、これ以外は第１の実施形態と同様である。
【００９５】
図８（ａ）のＳ８０１にて、制御部２００は、拡散部制御部３０９に対し、拡散部３０８のミラー９００を、領域９０１に光が入射するように、その位置に移動させる。
【００９６】
図８（ｂ）のＳ８０２にて、制御部２００は、拡散部制御部３０９に対し、拡散部３０８のミラー９００を、領域９０２に光が入射するように、その位置を移動させる。
【００９７】
以上説明したように、拡散部３０８を有するプロジェクタでは、拡散部３０８が非拡散状態、拡散状態の何れかであるかによって、拡散部３０８を通過する際に増減するＲＧＢのバランスが異なる場合がある。しかしながら、本第３の実施形態を適用すれば、Ｓ２０１とＳ３０１の処理により、これらの偏りを補正することができる。例えば、プロジェクタ１００が、Ｓ１０５で白い矩形を表示するように制御され、投影モードによりスポットライトのように使用されているとする。そして、その直後、照明モードにより部屋内を広く照明するように使用形態が変わったとする。この本発明によれば、例えば、スポットライト光（投影モード時）の色と、部屋内への広い照明光（照明モード時）の色との差を低減することができる。また、白色だけでなく、Ｓ１０６で説明したように他の色であっても、同様に投影モード時の光の色と、照明モード時の光の色の差を低減することもできる。
【００９８】
［第４の実施形態］
先に示した第１の実施形態の構成の変形例を第４の実施形態として説明する。装置の基本構成は第１の実施形態と同じとし、以下では第１の実施形態との差分について説明する。
【００９９】
＜プロジェクタの詳細構成＞
図３（ｃ）は本第４の実施形態における投影部２０５の構成を示している。第１の実施形態と共通な点についての説明は省略する。
【０１００】
本第４の実施形態では、光源３０１を、ＲＧＢの３つの部分光源からなるように変形する。また、光源制御部３００は、制御部２００の指示に従い、光源３０１のＲＧＢの部分光源の発光量を独立して制御できる。
【０１０１】
ミラー３１０が追加される。このミラー３１０は、可動式であり、照明光学系３０２からの光を液晶パネル３０３に入射させるか、後述のミラー３１２に入射するか、切り替えることができる。
【０１０２】
ミラー制御部３１１が追加される。このミラー制御部３１１は、アクチュエータからなり、制御部２００からの指示に従い、ミラー３１０を動作させる。
【０１０３】
ミラー３１２、３１３が追加になる。これらは、ミラー３１０からの光を反射させ、ミラー３１４に導くためである。
【０１０４】
また、ミラー３１４が追加される。このミラー３１４は、液晶パネル３０３からの光を透過させ、ミラー３１３からの光を反射させ、何れも投影光学系３０５に光を導く。
【０１０５】
＜プロジェクタの基本的な動作フロー＞
第１の実施形態で説明した図４Ａと実質的に同じである。ただし、Ｓ１０６では、パネル駆動部２０４に対する補正値の設定を、光源制御部３００に対して同様の設定を行なうようになる。
【０１０６】
＜プロジェクタの特徴的な動作フロー＞
図１０（ａ）、（ｂ）を参照して、第４の実施形態のプロジェクタ１００の特徴的な動作フローを説明する。図１０（ａ），（ｂ）は、第１の実施形態における図４Ｂ（ａ），（ｂ）に対応するものであり、Ｓ２００，Ｓ３００がＳ１０００、Ｓ１００１に置き換わった点が異なり、これ以外は第１の実施形態と同様である。
【０１０７】
図１０（ａ）のＳ１０００にて、制御部２００は、ミラー制御部３１１に指示を行ない、ミラー３１０を光路から外し、照明光学系３０２からの光を液晶パネル３０３に入射するように制御する。
【０１０８】
図１０（ｂ）のＳ１００１にて、制御部２００は、ミラー制御部３１１に指示を行ない、ミラー３１０を光路上に位置させ、照明光学系３０２からの光がミラー３１２に入射し、迂回して、ミラー３１４に入射するように制御する。
【０１０９】
以上説明したように、照明モード時に光源からの光が液晶パネルを通らないような光学系のプロジェクタであっても、同様に本発明を適用することでき、同様の効果を得ることができる。
【０１１０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１１】
１００…プロジェクタ、１０４…操作端末、制御部２００、バス２０１、映像入力部２０２、画像処理部２０３、パネル駆動部２０４、投影部２０５、ＲＯＭ２０６、ＲＡＭ２０７、通信部２０８、操作部２０９
【図１】
2019129443.tif 000003
【図２】
2019129443.tif 000004
【図３】
2019129443.tif 000005
【図４Ａ】
2019129443.tif 000006
【図４Ｂ】
2019129443.tif 000007
【図５】
2019129443.tif 000008
【図６】
2019129443.tif 000009
【図７】
2019129443.tif 000010
【図８】
2019129443.tif 000011
【図９】
2019129443.tif 000012
【図１０】
2019129443.tif 000013